(57)【要約】【課題】遊技盤上を流下する遊技球を上方に弾発するとともに、磁力によって宙吊りにするなど、遊技球が格別斬新な動きをなすようにし、パチンコ遊技の興趣を増大させる。【解決手段】磁石７からなる誘導体６を遊技盤Ａの遊技領域に緩やかな傾斜状に配置するとともに、ソレノイド１２等の電動アクチュエータからなる弾発装置１０を設け、該弾発装置により遊技球を弾発することにより該遊技球を前記誘導体の磁力域にジャンプさせ、ジャンプした遊技球が該誘導体の下面に磁力で吸着され宙吊状態となって移動するようにした。また、前記誘導体６は磁石７の両側に強磁性体からなる一対のレール板８，８を配置し、該レール板の下縁を磁石の下面より僅かに突出してなる。【選択図】図２
2005058480.tif 000002
【特許請求の範囲】
【請求項１】
磁石からなる誘導体を遊技盤の遊技領域に緩やかな傾斜状に配置するとともに、ソレノイド等の電動アクチュエータからなる弾発装置を設け、該弾発装置により遊技球を弾発することにより該遊技球を前記誘導体の磁力域にジャンプさせ、ジャンプした遊技球が該誘導体の下面に磁力で吸着され宙吊状態となって移動するようにしたことを特徴としたパチンコ機の遊技球誘導装置。
【請求項２】
誘導体は磁石の両側に強磁性体からなる一対のレール板を配置してなり、該レール板の下縁を磁石の下面より僅かに突出させてなるものである請求項１〜５のいずれかに記載のパチンコ機の遊技球誘導装置。
【発明の詳細な説明】
【技術分野】
【０００１】
本発明はパチンコ機の遊技盤面にある遊技球を誘導することによりパチンコ遊技の興趣を増大させる遊技球誘導装置に関するものである。
【背景技術】
【０００２】
遊技盤上を様々な道程を経て流落する遊技球を永久磁石により吸引することにより入賞を容易ならしめる入賞装置は従来から知られている。
また、下記特許文献１に示されたパチンコ機では、遊技球を受ける受部材を設け、この受部材の上方に位置して磁石を下方に臨むように傾斜状に設けることにより、この受部材で受けた遊技球が磁石に磁力で吸着され該磁石の傾斜によって遊技球がぶら下がった状態で移動するようにしたものである。
【特許文献１】特許第３１４６１６３号公報
【発明の開示】
【発明が解決しようとする課題】
【０００３】
ところで、パチンコ機における遊技球の動きには、上記のように磁石を利用したものであっても、一層スピード感のある斬新な動きが求められるが、従来のパチンコ機では未だ満足できない状況であった。
【０００４】
そこで本発明は、磁力によって遊技球に格別斬新な動きをさせ、パチンコ機の興趣を増大させようとするものである。
【課題を解決するための手段】
【０００５】
そのために本発明に係るパチンコ機の遊技球誘導装置は、磁石からなる誘導体を遊技盤の遊技領域に緩やかな傾斜状に配置するとともに、ソレノイド等の電動アクチュエータからなる弾発装置を設け、該弾発装置により遊技球を弾発することにより該遊技球を前記誘導体の磁力域にジャンプさせ、ジャンプした遊技球が該誘導体の下面に磁力で吸着され宙吊状態となって移動するようにしたことを特徴とする。
【０００６】
また本発明は上記遊技球誘導装置において、誘導体は磁石の両側に強磁性体からなる一対のレール板を配置してなり、該レール板の下縁を磁石の下面より僅かに突出させてなるものであることを特徴とする。
これによって誘導体による遊技球の磁着力を強くすることができる。
【発明の効果】
【０００７】
ソレノイドによって遊技球が弾発され適度な高さにジャンプできた場合に該遊技球が誘導体の下面に吸着され、その後、該遊技球は誘導体の傾斜により宙吊状態となって移動する。このようにジャンプによって磁力吸引されることで、遊技球がスピード感に富んだ動きとなって遊技者を楽しませることができる。
【実施例１】
【０００８】
図１は本発明に係るパチンコ機の遊技盤の正面図で、図中、１は液晶ディスプレイ，セグメント表示装置等の図柄変動表示器、２は該図柄変動表示器の下部中央に設けられた始動入賞口、３は普通入賞口、４は可変入賞装置、５は風車である。６は図柄変動表示器の上部に緩やかな傾斜状に配置された直線状の誘導体である。該誘導体６は、図２および図３に示すように、両側面に磁極を有するように磁化された棒状の磁石７が内設され、該磁石７の両側面に鉄板等の強磁性体の金属板からなるレール板８，８が配置され、該各レール板の下縁を磁石７の下面より僅かに突出させるとともに、該レール板８，８の間隔を遊技球Ｐの直径より少し狭いものとしている。そして該誘導体６に磁力によって遊技球Ｐが吸着されるようにするとともに、該遊技球Ｐの外周面が該レール板８，８の下縁に当接した状態で、該遊技球Ｐと磁石７の下面との間に隙間ｇ（１ｍｍ程度）が存するように、該レール板８，８の下方突出寸法および間隔が調整される。なお、９は誘導体６の傾斜下端部の直下に設けられた特定入賞口である。
【０００９】
１０は遊技盤Ａ上の誘導体６の側部に設けた弾発装置で、該弾発装置は遊技盤Ａ上に受皿形の球受部１１を設け、該球受部の下方に電動アクチュエータたるソレノイド１２を斜めに固設し、図４にも示したように、該ソレノイドが作動することによりスピンドル１３が該球受部１１の底部に開設された遊技球より小径の透孔１４に出没するように構成される。なお、１５は遊技盤上を流下する遊技球Ｐが該球受部１１上に乗ったことが検出するために該遊技盤に開設された磁気センサ，光センサ等の球検出センサ１６の検出口である。
【００１０】
このように構成した遊技球誘導装置では、球検出センサ１６により球受部１１上に遊技球Ｐが乗ったことが検出されると、ソレノイド１２が作動されスピンドル１３が透孔１４より突出することにより該遊技球Ｐが弾発され誘導体６の下面に向けてジャンプする。ジャンプした遊技球Ｐは該誘導体６の下面にうまく低速で接近した場合には磁石７の磁力により吸着されレール板８，８に磁着する。また、ジャンプした遊技球が誘導体６の下面に強く衝突したり、或いはジャンプ高さが十分でないと磁力によりで吸着されることなく落下する。
【００１１】
そして図２に示したようにレール板８，８に磁着した遊技球Ｐは、該誘導体６が緩い傾斜状に設けられているために、レール板８，８に宙吊り状態となって下方に転動する。その際、遊技球Ｐは図柄変動表示器１の前面を過ぎることがら遊技者の注意を喚起させる。そして、該遊技球Ｐは該誘導体６の下端部より落下し特定入賞口９に入賞し易いものとなる。なお、特定入賞口９に遊技球Ｐが入賞することにより、賞球が払い出されるとともに、大当たりの発生確率が高くなるなど遊技者にとってさらに有利な状態に変化する。
【００１２】
また、上記のように磁石７を挟むようにレール板８，８を設け、遊技球Ｐと磁石７の下面との間に隙間ｇが存するように、該レール板８，８の下方突出寸法および間隔を設定したことにより、磁石７による吸着力が増し、遊技球Ｐをより確実に吸着できるようになる。また、誘導体６の長手方向に沿い磁力の強い箇所と弱い箇所が交互に存するように磁力の分布を考慮することにより、遊技球Ｐはその磁力に吸着されステップ状の動きを伴って移動し特有の動きとなり得る。また、上記磁石７を電磁石として遊技状態に連動し磁力が制御されるようにすることも可能である。
【実施例２】
【００１３】
一方、図５に示した実施例は、ソレノイド１２のスピンドル１３の上端に球受部１１を固着し、該球受部１１が該ソレノイドの作動により上下動することにより該球受部上に乗った遊技球Ｐが上方の放り上げられ、誘導体６の下面に吸着し得るようにしたものである。この場合も誘導体６にうまく吸着される遊技球と吸着されない遊技球とが生じる。
【実施例３】
【００１４】
また、図６の実施例に示す弾発装置は、球受部１１の一端に固着した回転軸１７を遊技盤Ａに貫挿し、該球受部１１がソレノイド１２の作動により反復回転するように該ソレノイド１２を該遊技盤の裏側に設けてなるものである。この実施例では該球受部１１が反復回転することにより上方に弾発された遊技球Ｐが誘導体６の下面に吸着し得る。
【００１５】
なお、上記ソレノイド１２等の電動アクチュエータは、上記実施例のように球検出センサ１６により遊技球Ｐが検出されたときに作動し該遊技球が弾発されるようにしてもよいが、常時、または、確変中，チャンスタイムなど特定の遊技状態のときに該電動アクチュエータが作動するようにし、タイミングよく流落してきた遊技球のみが弾発されるようにしてもよい。また、上記特定の遊技状態中、もしくは、その時々に応じて弾発装置の動作力に強弱（電圧，電流の制御による）を設けて遊技球Ｐの飛距離が変化するようにしてもよい。
【００１６】
また、弾発装置には上記ソレノイドの他、ロータリーソレノイド、或いは、モータ等の回転動力源を用いることもでき、その回転軸に弾発用の偏心カムを設けたり、弾発用テコをカム・リンク等で連動させる機構とすることもできる。
【００１７】
これらの実施例に示したように、本発明では遊技球をジャンプさせ誘導体の下面に磁力で吸着させることから、スピード感のある今までにない特有な動きを遊技者に見せることができる。
【図面の簡単な説明】
【００１８】
【図１】本発明の遊技球誘導装置の実施例を示すパチンコ機の遊技盤の正面図。
【図２】図１の要部の拡大正面図。
【図３】図２のＡ−Ａ線断面図。
【図４】図２のＢ−Ｂ線断面図。
【図５】本発明の他の実施例を示す遊技球誘導装置の正面図。
【図６】本発明の他の実施例を示す遊技球誘導装置の正面図。
【符号の説明】
【００１９】
Ａ      遊技盤
Ｐ      遊技球
ｇ      隙間
６      誘導体
７      磁石
８      レール板
９      特定入賞口
１０    弾発装置
１１    球受部
１２    ソレノイド
１３    スピンドル
【図１】
2005058480.tif 000003
【図２】
2005058480.tif 000004
【図３】
2005058480.tif 000005
【図４】
2005058480.tif 000006
【図５】
2005058480.tif 000007
【図６】
2005058480.tif 000008